【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
椎骨と係合する上面、及び凸面部を含む下面を有する上部と、
椎骨と係合する下面、及び凸面部を有する上面を有する下部と、
前記上部の前記凸面部と作動的に係合する上凹面部、及び前記下部の前記凸面部と作動的に係合する下凹面部を有するコア部材と、
を備え、
前記上部及び下部は、それぞれの前記凸面部を囲む溝を有し、
前記溝は、溝底面、及び前記溝底面から対向する前記上部または下部側に延びる溝側壁面を有する、椎間装置。
【請求項２】
挿入器具を受け入れるように適合された外周溝を前記コアに含む請求項１に記載の椎間装置。
【請求項３】
前記上部は、椎骨と係合する係止部を備える請求項１に記載の椎間装置。
【請求項４】
前記係止部は、前記インプラントの主軸を通り長手方向に横切る面に対して４５度の角度である請求項３に記載の椎間装置。
【請求項５】
前記係止部は、前記インプラントの主軸を通り長手方向に横切る面に対して０度と９０度との間の角度である請求項３に記載の椎間装置。
【請求項６】
椎骨と係合する上面、及び凸面部を含む下面を有する上部と、
椎骨と係合する下面、及び凸面部を有する上面を有する下部と、
前記上部の前記凸面部と作動的に係合する上凹面部、及び前記下部の前記凸面部と作動的に係合する下凹面部を有するコア部材と、
を備え、
前記上部及び下部は、それぞれの前記凸面部を囲む溝を有し、
前記コア部材は、上方及び下方周縁コア面を有しており、
前記上部および下部は、前記インサートの前記凹面部に沿って摺動することにより、相互に外側に平行移動可能であり、
前記上方及び下方周縁コア面の少なくとも一部は、当該椎間インプラントの最大傾き位置内で前記溝の少なくとも一部と接触することで、前記最大傾き位置を超える前記上部及び下部の動きを制限する、椎間装置。
【請求項７】
前記上部および下部の前記各凸面部は、前記各上部および下部に形成された各凹所にインレー部材が配置される寸法にされた、各インレー部材の面を含む請求項６に記載の装置。
【請求項８】
前記インレー部材は、金属、プラスチックおよびセラミックからなる群から選択された材料からなる請求項７に記載の装置。
【請求項９】
前記プラスチックには、ポリエチレンが含まれる請求項８に記載の装置。
【請求項１０】
前記上部溝は、水平面に対して角度がつけられた溝底面を有し、
前記下部溝は、水平面に対して角度がつけられた溝底面を有し、
前記コア部材は、前記上部溝底面と反対の角度の上方傾斜面と、前記下部溝底面と反対の角度の下方傾斜面とをそれぞれ有する請求項６に記載の装置。
【請求項１１】
前記上部が前記下部に対して最大傾き位置にあるとき、前記上部溝底面は、前記コアの前記上方傾斜面と接合し、前記下部溝底面は、前記コアの前記下方傾斜面と接合する請求項１０に記載の装置。
【請求項１２】
前記コア部材は、上方傾斜面と下方傾斜面と、を有し、当該面は、前記上部溝底面および下部溝底面からそれぞれ遠ざかるように傾斜する請求項６に記載の装置。
【請求項１３】
前記上部が前記下部に対して最大傾き位置にあるとき、前記上部溝底面は、前記コアの前記上方傾斜面と接合し、前記下部溝底面は、前記コアの前記下方傾斜面と接合する請求項１２に記載の装置。
【請求項１４】
前記上部および下部の少なくとも１つは、椎骨と係合する係止部を含む請求項６に記載の椎間装置。
【請求項１５】
前記係止部は、前記インプラントの主軸を通り長手方向に横切る面に対して０度と９０度との間の角度である請求項１４に記載の椎間装置。
【請求項１６】
前記係止部は、前記長手方向に横切る面に対して４５度の角度である請求項１５に記載の椎間装置。
【請求項１７】
前記コア部材は、挿入器具を受け入れるように適合された外周溝を含む請求項６に記載の椎間装置。
【請求項１８】
前記上部および下部が相互に外側に移動しても、前記上部および下部は、相互に平行なままである請求項６に記載の装置。
【請求項１９】
椎骨と係合する上面を有する上部であって、当該上部に形成された凹所に配置される寸法にされた上インレー部材を有し、当該上インレー部材は、下面を有し、当該下面は、前記上部の凹所と反対側を向く凸面を含む、前記上部と、
椎骨と係合する下面を有する下部であって、当該下部に形成された凹所に配置される寸法にされた下インレー部材を有し、当該下インレー部材は、上面を有し、当該上面は、前記下部の凹所と反対側を向く凸面を含む、前記下部と、
前記上部の前記凸面と作動的に係合する上凹面部と、前記下部の前記凸面と作動的に係合する下凹面部とを有するコア部材と、
を備え、
前記上部と前記下部とは、前記コア部材の前記凹面部に沿って摺動することにより相互に平行移動し得る椎間装置。
【請求項２０】
前記上部および下部の少なくとも１つは、椎骨と係合する係止部を含む請求項１９に記載の椎間装置。
【請求項２１】
前記係止部は、前記インプラントの主軸を通り長手方向に横切る面に対して０度と９０度との間の角度である請求項１９に記載の椎間装置。
【請求項２２】
前記係止部は、前記長手方向に横切る面に対して４５度の角度である請求項２１に記載の椎間装置。
【請求項２３】
前記コア部材は、挿入器具を受け入れるように適合された外周溝を含む請求項１９に記載の椎間装置。
【請求項２４】
前記各インレー部材は、金属、プラスチックおよびセラミックからなる群から選択される材料からなる請求項１９に記載の装置。
【請求項２５】
前記プラスチックには、ポリエチレンが含まれる請求項２４に記載の装置。
【請求項２６】
前記上部は、前記上インレー部材を囲む上部溝を含み、前記下部は、前記下インレー部材を囲む下部溝を含む請求項１９に記載の装置。
【請求項２７】
前記コア部材は、前記上部が前記下部に対して移動すると、前記溝内に滑り込むように適合されている請求項２６に記載の装置。
【請求項２８】
前記下部に対する前記上部の移動は、前記上部溝の上壁面と前記下部溝の下壁面とに前記コア部材を当接させることによって、制限される請求項２６に記載の装置。
【請求項２９】
前記上部溝は、水平面に対して角度がつけられた溝底面を有し、
前記下部溝は、水平面に対して角度がつけられた溝底面を有し、
前記コア部材は、前記上部溝底面と反対の角度で上方傾斜面と、前記下部溝底面と反対の角度で下方傾斜面と、をそれぞれ有する請求項２６に記載の装置。
【請求項３０】
前記上部溝は、水平面に対して平行な溝底面を有し、
前記下部溝は、水平面に対して平行な溝底面を有し、
前記コア部材は、前記上部溝底面から遠ざかるように傾斜する上方傾斜面と、前記下部溝底面から遠ざかるように傾斜する下方傾斜面と、をそれぞれ有する請求項３０に記載の装置。
【請求項３１】
前記上部が前記下部に対して最大限移動している間に、前記上部溝底面は、前記コアの前記上方傾斜面と接合し、前記下部溝底面は、前記コアの前記下方傾斜面と接合する請求項３０に記載の装置。
【請求項３２】
前記上部が前記下部に対して最大限移動している間に、前記上部溝底面は、前記コアの前記上方傾斜面と接合し、前記下部溝底面は、前記コアの前記下方傾斜面と接合する請求項２９に記載の装置。
【請求項３３】
前記上部および前記下部は、前記上部および前記下部が相互に外側に移動しても、相互に平行のままである請求項１９に記載の装置。
【手続補正２】
【補正対象書類名】明細書
【補正対象項目名】０００４
【補正方法】変更
【補正の内容】
【０００４】
これらの先行の髄核置換椎間板装置（nucleus replacement intervertebral device）は、制限された範囲の自在動を可能にし得るが、隣接する椎骨同士が相互に自在動することを増進させた、新規で改良された椎間板装置への要求が存在する。
【特許文献１】米国特許出願公開第２００２／０１２８７１５号明細書
【特許文献２】米国特許出願公開第２００２／０１５６５２８号明細書
【特許文献３】米国特許出願公開第２００３／０１３５２７７号明細書
【特許文献４】米国特許出願公開第２００３／０１３５２７８号明細書
【特許文献５】米国特許出願公開第２００３／０１７６９２２号明細書
【特許文献６】米国特許出願公開第２００３／０１９５６３１号明細書
【特許文献７】米国特許出願公開第２００３／０１９９９８４号明細書
【特許文献８】米国特許出願公開第２００４／０００２７６２号明細書
【特許文献９】米国特許出願公開第２００４／００１０３１６号明細書
【特許文献１０】米国特許出願公開第２００４／００２４４６２号明細書
【特許文献１１】米国特許出願公開第２００４／０１２７９９２号明細書
【特許文献１２】米国特許出願公開第２００４／０１３３２７８号明細書
【特許文献１３】米国特許出願公開第２００４／０１３８７５０号明細書
【特許文献１４】米国特許出願公開第２００４／０１３８７５３号明細書
【特許文献１５】米国特許第４７５９７６６号明細書
【特許文献１６】米国特許第５５０７８１６号明細書
【特許文献１７】米国特許第６３６８３５０号明細書
【特許文献１８】米国特許第６６０７５５８号明細書
【特許文献１９】米国特許第６６２６９４３号明細書
【特許文献２０】米国特許第６６４５２４８号明細書
【特許文献２１】米国特許第６６８２５６２号明細書
【特許文献２２】米国特許出願公開第２００３／０１４４７３６号明細書
【特許文献２３】米国特許出願公開第２００４／０１３３２８１号明細書
【特許文献２４】米国特許第４７７２２８７号明細書
【特許文献２５】米国特許第５３１４４７７号明細書
【特許文献２６】米国特許第５３９７３６４号明細書
【特許文献２７】米国特許第６３１５７９７号明細書
【特許文献２８】米国特許第６６５６２２４号明細書
【特許文献２９】米国特許第６６７６７０３号明細書
【特許文献３０】欧州特許出願公開第０３０４３０５号明細書
【特許文献３１】国際公開第２００３／０８４４４９号パンフレット